(57)【要約】【課題】鍔のあるバケツ等に入れた漂白用液等の中に浸漬される布材等を、その液に手を触れないで、確実に沈めることができる液中浸漬用の沈下補助器具を提供すること。【解決手段】バケツ１０の上面開口１２を水平に横断して張設するようにできる帯状の輪ゴム２１と該輪ゴム２１の両端にバケツの鍔１１に掛け止められるフック２２を備え、水平に張設された輪ゴム２１の中途部２１ａが持ち上げられた際には下方への押圧力を発生させる張設押圧部材２０と、布材１５を沈下させるようにその布材１５に一端３０ａが当接して上方から押さえるように、プラスチック材によって短冊状に設けられ、長手方向の中途部に、張設押圧部材２０の輪ゴム２１が掛けられて下方への押圧力を受けるように長手方向に直交する方向へ切り込まれた形状の切り込み部３１が設けられ、起立されて用いられる押接部材３０とを具備する。【選択図】図１
2011110219.tif 000002
【特許請求の範囲】
【請求項１】
鍔のある容器に入っている液の中に浸漬される被浸漬物を沈めるために用いられる液中浸漬用の沈下補助器具において、
前記容器の上面開口を水平に横断して張設できるように、少なくとも一部に弾性を有する張り渡し材と該張り渡し材の両端に前記容器の鍔に掛け止められるフックを備え、水平に張設された前記張り渡し材の中途部が持ち上げられた際には下方への押圧力を発生させる張設押圧部材と、
前記被浸漬物を沈下させるように該被浸漬物に一端が当接して上方から押さえるように、長手方向の中途部に、前記張設押圧部材の張り渡し材が掛けられて下方への押圧力を受ける押圧力受部が設けられ、起立されて用いられる押接部材とを具備することを特徴とする液中浸漬用の沈下補助器具。
【請求項２】
前記張り渡し材が、ゴム材によって構成されていることを特徴とする請求項１記載の液中浸漬用の沈下補助器具。
【請求項３】
前記フックが、金属線材を曲げて形成されるフック金具であることを特徴とする請求項１又は２記載の液中浸漬用の沈下補助器具。
【請求項４】
前記押接部材が、短冊状であることを特徴とする請求項１〜３のいずれかに記載の液中浸漬用の沈下補助器具。
【請求項５】
前記押圧力受部が、短冊状の前記押接部材の長手方向に交差する方向へ切り込まれた形状の切り込み部によって構成されていることを特徴とする請求項４記載の液中浸漬用の沈下補助器具。
【請求項６】
鍔のあるバケツに入れた漂白用液の中に浸漬される布材を沈めるために用いられる液中浸漬用の沈下補助器具において、
前記バケツの上面開口を水平に横断して張設するようにできる帯状の輪ゴムと該輪ゴムの両端に前記バケツの鍔に掛け止められるフックを備え、水平に張設された前記輪ゴムの中途部が持ち上げられた際には下方への押圧力を発生させる張設押圧部材と、
前記布材を沈下させるように該布材に一端が当接して上方から押さえるように、プラスチック材によって短冊状に設けられると共に、長手方向の中途部に、前記張設押圧部材の輪ゴムが掛けられて下方への押圧力を受けるように長手方向に直交する方向へ切り込まれた形状の切り込み部が設けられ、起立されて用いられる押接部材とを具備することを特徴とする液中浸漬用の沈下補助器具。
【請求項７】
前記押接部材の長手方向に間隔をおいて複数の前記切り込み部が設けられていることを特徴とする請求項５又は６記載の液中浸漬用の沈下補助器具。
【請求項８】
前記フックが、金属線材を曲げてフック部が形成されていると共に、前記輪ゴムの交換ができるように輪ゴム掛け部が形成されているフック金具であることを特徴とする請求項６又は７記載の液中浸漬用の沈下補助器具。
【発明の詳細な説明】
【技術分野】
【０００１】
この発明は、鍔のある容器に入っている液の中に浸漬される被浸漬物を沈めるために用いられる液中浸漬用の沈下補助器具に関する。
【背景技術】
【０００２】
布材などの比重の小さい被浸漬物を、容器内の液に浸けても浮いてしまい、その被浸漬物の全体を液中に沈められないことがある。
例えば、衣類などの洗濯物を漂白する時、漂白液に浸けると浮いてしまう。これでは、衣類がまだらに漂白されてしまい、洗濯が適切になされない。
【０００３】
洗濯物が水に浮くような場合でも、その洗濯物を極力良好に洗濯するための工夫としては、布沈め行程を行う洗濯機が提案されている。その洗濯機によれば、「微弱水流」コースにて洗濯を行う場合、まず、洗濯槽に収容された洗濯物の重量を検知し（ステップ１）、洗濯槽内にその重量に応じた規定水位まで給水する（ステップ２、３）。この後、撹拌体を駆動させ、撹拌体にかかる負荷に応じて出力される回転センサからの検出信号に基づき、洗濯物が浮いているか否かの検知を行う（ステップ５）。洗濯物が浮いていると判定された場合には（ステップ６）、洗濯槽内へ注水する共に撹拌体を駆動させることにより、浮いた洗濯物を水中に沈めるための布沈め行程を行う（特許文献１参照）。
【先行技術文献】
【特許文献】
【０００４】
【特許文献１】特開平１０−１５１２９１号公報（第１頁）
【発明の概要】
【発明が解決しようとする課題】
【０００５】
液中浸漬用の沈下補助器具に関して解決しようとする問題点は、液の中に浸漬される被浸漬物を、その液に手を触れないで、確実に沈めることができる簡易な器具が提案されていないことにある。
そこで本発明の目的は、簡単な構成によって設けられ、被浸漬物を液の中にその液に手を触れないで、確実に沈めることができる液中浸漬用の沈下補助器具を提供することにある。
【課題を解決するための手段】
【０００６】
本発明は、上記目的を達成するために次の構成を備える。
本発明にかかる液中浸漬用の沈下補助器具の一形態によれば、鍔のある容器に入っている液の中に浸漬される被浸漬物を沈めるために用いられる液中浸漬用の沈下補助器具において、前記容器の上面開口を水平に横断して張設できるように、少なくとも一部に弾性を有する張り渡し材と該張り渡し材の両端に前記容器の鍔に掛け止められるフックを備え、水平に張設された前記張り渡し材の中途部が持ち上げられた際には下方への押圧力を発生させる張設押圧部材と、前記被浸漬物を沈下させるように該被浸漬物に一端が当接して上方から押さえるように、長手方向の中途部に、前記張設押圧部材の張り渡し材が掛けられて下方への押圧力を受ける押圧力受部が設けられ、起立されて用いられる押接部材とを具備する。
【０００７】
また、本発明にかかる液中浸漬用の沈下補助器具の一形態によれば、前記張り渡し材が、ゴム材によって構成されていることを特徴とすることができる。
また、本発明にかかる液中浸漬用の沈下補助器具の一形態によれば、前記フックが、金属線材を曲げて形成されるフック金具であることを特徴とすることができる。
また、本発明にかかる液中浸漬用の沈下補助器具の一形態によれば、前記押接部材が、短冊状であることを特徴とすることができる。
また、本発明にかかる液中浸漬用の沈下補助器具の一形態によれば、前記押圧力受部が、短冊状の前記押接部材の長手方向に交差する方向へ切り込まれた形状の切り込み部によって構成されていることを特徴とすることができる。
【０００８】
また、本発明にかかる液中浸漬用の沈下補助器具の一形態によれば、鍔のあるバケツに入れた漂白用液の中に浸漬される布材を沈めるために用いられる液中浸漬用の沈下補助器具において、前記バケツの上面開口を水平に横断して張設するようにできる帯状の輪ゴムと該輪ゴムの両端に前記バケツの鍔に掛け止められるフックを備え、水平に張設された前記輪ゴムの中途部が持ち上げられた際には下方への押圧力を発生させる張設押圧部材と、前記布材を沈下させるように該布材に一端が当接して上方から押さえるように、プラスチック材によって短冊状に設けられると共に、長手方向の中途部に、前記張設押圧部材の輪ゴムが掛けられて下方への押圧力を受けるように長手方向に直交する方向へ切り込まれた形状の切り込み部が設けられ、起立されて用いられる押接部材とを具備することを特徴とすることができる。
【０００９】
また、本発明にかかる液中浸漬用の沈下補助器具の一形態によれば、前記押接部材の長手方向に間隔をおいて複数の前記切り込み部が設けられていることを特徴とすることができる。
また、本発明にかかる液中浸漬用の沈下補助器具の一形態によれば、前記フックが、金属線材を曲げてフック部が形成されていると共に、前記輪ゴムの交換ができるように輪ゴム掛け部が形成されているフック金具であることを特徴とすることができる。
【発明の効果】
【００１０】
本発明にかかる液中浸漬用の沈下補助器具によれば、簡単な構成によって設けられ、被浸漬物を液の中にその液に手を触れないで、確実に沈めることができるという特別有利な効果を奏する。
【図面の簡単な説明】
【００１１】
【図１】本発明にかかる液中浸漬用の沈下補助器具の使用形態例を示す斜視図である。
【図２】図１の形態例に示された液中浸漬用の沈下補助器具の平面図である。
【図３】本発明にかかる液中浸漬用の沈下補助器具の形態例の使用方法を説明する側面から見た断面図である。
【図４】フック金具の部分の形態例を説明する説明図である。
【図５】図１の形態例に示された液中浸漬用の沈下補助器具の収納状態を示す側面図である。
【発明を実施するための形態】
【００１２】
以下、本発明にかかる液中浸漬用の沈下補助器具の形態例を添付図面（図１〜図５）に基づいて詳細に説明する。この液中浸漬用の沈下補助器具は、鍔のある容器に入っている液の中に浸漬される被浸漬物を沈めるために用いられる。この容器は、例えば図１に示すような鍔１１のあるバケツ１０である。また、被浸漬物は、例えば洗濯物の布材１５である。
【００１３】
２０は張設押圧部材であり、容器（バケツ１０）の上面開口１２を水平に横断して張設できるように、少なくとも一部に弾性を有する張り渡し材２１とその張り渡し材２１の両端にバケツ１０の鍔１１に掛け止められるフック２２を備え、水平に張設された張り渡し材２１の中途部が持ち上げられた際には下方への押圧力を発生させる。
図に示した本形態例の張り渡し材２１は、ゴム材によって構成されている。本発明はこれに限定されるものではなく、例えば、つる巻きバネを中途部につなげることで弾性を備える紐状の張り渡し材であってもよい。また、本形態例のフック２２は、金属線材を曲げて形成されるフック金具によって構成されているが、これに限定されず、例えばプラスチック材による成型品であってもよい。
【００１４】
３０は押接部材であり、被浸漬物（布材１５など）を沈下させるようにその布材１５などに一端３０ａが当接して上方から押さえるように、長手方向の中途部に、張設押圧部材２０の張り渡し材２１が掛けられて下方への押圧力を受ける押圧力受部３１が設けられ、起立されて用いられる。
本形態例の押接部材３０は、短冊状である。また、本形態例の押圧力受部３１は、短冊状の押接部材３０の長手方向に交差する方向へ切り込まれた形状の切り込み部によって構成されている。
【００１５】
次に具体的な形態例について、図１及び図２に基づいてさらに詳細に説明する。この液中浸漬用の沈下補助器具は、鍔１１のあるバケツ１０に入れた漂白用液の中に浸漬される布材１５を沈めるために用いられる。この布材１５は、洗濯物であって、被浸漬物の一例である。
【００１６】
２０は張設押圧部材であり、バケツ１０の上面開口１２を水平に横断して張設するようにできる帯状の輪ゴム２１とその輪ゴム２１の両端にバケツ１０の鍔１１に掛け止められるフック２２を備え、水平に張設された輪ゴム２１の中途部２１ａが持ち上げられた際には下方への押圧力を発生させる。
【００１７】
３０は押接部材であり、布材１５を沈下させるようにその布材１５に一端３０ａが当接して上方から押さえるように、プラスチック材によって短冊状に設けられると共に、長手方向の中途部に、張設押圧部材２０の輪ゴム２１が掛けられて下方への押圧力を受けるように長手方向に直交する方向へ切り込まれた形状の切り込み部３１（押圧力受部）が設けられ、起立されて用いられる。
【００１８】
また、本形態例では、押接部材３０の長手方向に間隔をおいて複数の切り込み部３１が設けられている。例えば、図に示す押接部材３０の長さは３０ｃｍで、三箇所に切り込み部３１が設けられているが、押接部材３０のサイズや切り込み部３１の数の形態は、適宜に設定すればよいのは勿論である。これによれば、バケツ１０に入っている布材１５を押圧する押接部材３０の高さ位置に応じて、張設押圧部材２０（輪ゴム２１）を引っ掛ける位置（切り込み部３１）を好適に選択できる。このため、バケツ１０の大きさの違いや、バケツ１０に入っている布材１５の厚さの違いにも好適に対応することができる。つまり、本形態例の液中浸漬用の沈下補助器具は、様々なサイズのバケツや洗面器などの容器で適切に使用できる自由度の高い器具になっている。
【００１９】
次に、以上に説明した構成と同等の構成を備える液中浸漬用の沈下補助器具について、図３に基づいて、その使用方法を説明する。前述の形態例に記載された構成と同等の構成については、図面に同一の符号を付して詳細な説明を省略する。
【００２０】
先ず、図３（ａ）に示すように、バケツ１０に漂白用液１３を入れる。
次に、図３（ｂ）に示すように、バケツ１０の鍔１１に一対のフック２２を引っ掛けて張設押圧部材２０をバケツ１０の上面開口１２に水平に横断して張設する。
そして、図３（ｃ）に示すように、高さに応じて押接部材３０の切り込み部３１に輪ゴム２１を引っ掛け、その押接部材３０を垂直に立てて洗濯物を押しつける。これによって、布材１５の全体を、確実に漂白用液１３の液中に浸漬することができる。
【００２１】
次に、本形態例の詳細について、さらに説明する。
図４に示すように、フック２２は、金属線材を曲げて鉤状部２３が形成されていると共に、輪ゴム２１の交換が容易にできるように輪ゴム掛け部２４が形成されているフック金具とすることができる。図４に示す形態例では、輪ゴム掛け部２４が、金属線材を、輪ゴム２１を通す切れ目が形成されるように三角形に折り曲げて設けられていることで、その三角形の底辺の部分に、帯状の輪ゴム２１を好適に掛けることができる。
【００２２】
また、押接部材３０の角部３０ｂを丸めることで、布材１５等の洗濯物を傷めない形状とすることができる。
さらに、この押接部材３０の形状は短冊状に限定されず、例えば、上下方向に延びる棒状部と、その棒状部に側方へ突起する形状に設けられた押圧力受部３１と、その棒状部の下端に水平方向に所定の巾があるように設けられて被浸漬物１５に当接する当接部とを備えるものであってもよい。
【００２３】
また、図５に示すように、押接部材３０に両端にそれぞれフック２２、２２を掛けて、張設押圧部材２０を押接部材３０に張った保持状態で保管・収納することができる。これによれば、不使用時には、一体的且つコンパクトに収納できる。
以上に説明した液中浸漬用の沈下補助器具によれば、被浸漬物１５を簡易な部材によって好適に構成することができ、低コストで大量に生産可能なものになっている。
【００２４】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００２５】
１０  バケツ
１１  鍔
１２  上面開口
１５  被浸漬物、布材
２０  張設押圧部材
２１  張り渡し材、輪ゴム
２１ａ  中途部
２２  フック
２３  鉤状部
２４  輪ゴム掛け部
３０  押接部材
３０ａ  一端
３１  押圧力受部、切り込み部
【図１】
2011110219.tif 000003
【図２】
2011110219.tif 000004
【図３】
2011110219.tif 000005
【図４】
2011110219.tif 000006
【図５】
2011110219.tif 000007